(57)【要約】      （修正有）【課題】磯または防波堤などの海老撒き釣りで使用する海老、遠投用のカゴ付ウキで、海老を撒くのに、風の影響をほとんど受けず、また海老を撒き散すことなく、そして海老の投入ポイントの範囲を限定して作ることが出来て、さらに海老をすくえる海老撒用ネットのカゴ付きウキを提供する。【解決手段】ウキ１に、ネット袋２を取り付け、そして、そのネット袋２の端に沿って、枠５を、ネットが末広がりの形状となるように取り付けた。【選択図】図１
2008283952.tif 000002
【特許請求の範囲】
【請求項１】
ウキ（１）にネット袋（２）を取り付け、そして、そのネット袋（２）の端に沿って、枠（５）を、ネットが末広がりの形状となるように取り付けたことを特徴とする海老撒用ネットのカゴ付ウキ
【発明の詳細な説明】
【技術分野】
【０００１】  この発明は、磯または防波堤などの海老撒き釣りで使用する海老、遠投用のカゴ付ウキで、海老を撒くのに、風の影響をほとんど受けず、また海老を撒き散すことなく、そして海老の投入ポイントの範囲を限定して作ることが出来て、さらに海老をすくえる海老撒用ネットのカゴ付きウキに関するものである。
【背景技術】
【０００２】  従来、海老撒き釣りは、海老をポイントに投げる為に、柄杓を使用し手で投げていた。
そして、海老撒き専用の柄杓が、開発され使用されている。
ポイントに対して、向かい風であれば、海老が軽い為に、風で押し戻されてしまい、そのような日は、海老撒き釣りは、やりにくかった。
または出来ないので、風裏のポイントに移動し、そこで行っていた。
撒いた海老と、付け餌は、なるべく近いところにあり、付け餌と、撒いた海老が同調することが望ましいが、柄杓を使用して撒くと、ポイントが近い場合においては、旨く同調できたが、少し離れたポイントでは、広い範囲に海老が散らばって効果が薄れた。
他には、カゴ付きウキを、そのまま使用していたので、カゴの壁面が垂直であり、海老が引っ掛かり放出しにくかった。【０００３】
【特許文献】  ネットを付けたウキの技術では、  発明の名称  ネットのカゴ付ウキ  出願日  平成１９年５月１４日  整理番号  Ｈ２００７−０１
【０００４】  上記記載のネットのカゴ付ウキにおいては、仮死状態にある海老を詰め遠投はできても、その海老を放出するのに海老が支え、それを放出しにくかった。
そして海老をすくい易い物が望まれた。
【発明の開示】
【発明が解決しようとする課題】
【０００５】  向かい風で、柄杓を使用し、投げた海老が戻って来る状況においても、一般の釣りが出きる程度の風であれば、それをポイントに、仕掛と共に投入できること。
柄杓で撒いて届かない距離でも、海老を届け、海老撒き釣りが出きること。
また少し離れたポイントに遠投しても、付け餌の上から撒いた海老を被せて、付け餌と、撒いた海老が同調すること。
そして、当たりウキとしても使用できること。
従来のカゴ付きウキでは、海老の放出が悪かったので、海老撒き釣り専用のカゴ付きウキを製作すること。
その他、海老を捕まえようとすると、すばしこく、捕まえにくかったので、簡単に捕らえる事ができること。
【課題を解決するための手段】
【０００６】本発明は上記課題を解決する為のもので、ウキ（１）に、ネット袋（２）を取り付け、そして、そのネット袋（２）の端に沿って、枠（５）を、ネットが末広がりの形状となるように取り付けた。
【発明の効果】
【０００７】  向かい風で、柄杓を使用し、投げた海老が戻って来る状況においても、一般に釣りが出きる程度の風であれば、海老を仕掛と共にポイントに投入できた。よってそのような日でもポイントを移動しないで、海老撒き釣りができた。
ポイントにより海老を柄杓で撒いて届かない距離でも、海老が届くようになったので、距離が離れた、場荒れしていない、新しいポイントで海老撒き釣りができた。
また少し離れたポイントでも、仕掛と共に海老を運べて、付け餌の回りに、撒いた海老がいる状態であるので、付け餌と、撒いた海老が同調できて、釣果に結びつく確率が高くなった。
また、海老を運ぶだけでなく、当たりウキとしても使用でき、柄杓から釣竿に持ち替える必要がなくなった。
ネットを末広がりの形状としたので、海老の出が良く、海老撒き釣り専用のネットのカゴ付きウキを製作できた。
その他、すばしこい海老は、ネットの部分で、すくい上げられるようになり、短時間に、捕まえて、そのままネットカゴにはいる状態であるので、手返しが早く便利になった。
また、入った海老はネットの弾力特性から、飛び出しにくくなった。
【発明を実施するための最良の形態】
【０００８】  以下、本発明の構造について説明する、
構造を  図１、に示すように、
ウキ（１）に、ネット袋（２）を取り付け、そして、そのネット袋（２）の端に沿って、枠（５）を、ネットが末広がりの形状となるように取り付けた。
【実施例１】
【０００９】  ネット袋の網目のサイズは撒く海老のサイズに合わせて、漏れない程度とした。
そして材質は合成繊維または天然繊維を使用したが、他でも水を含みにくい材質であれば、なんでも良い。
枠（５）は、ネット袋（２）の外周より、一回り、二回り大きな形状とすると、ネットが伸びて、ネット袋（２）の形状は、末広がりとなった。
そしてネットのサイズで、一例をあげると、枠（５）を入れた状態で、直径６０ミリ、長さ６５ミリとしたところ、海老もすくい易く、遠投中に空中で海老は放出されず、着水してから、スムーズにそれを放出できた。なおこれは一例であり、このサイズに限定はされない。
また枠（５）の材質は、一例を上げると、金属線では、形状記憶合金線、ステンレス合金鋼線、アルミ合金パイプ、または、合成樹脂線などで、特に材質の限定はしないが細くて張りのある材質が望ましい。
材質によって、形状記憶合金線、ステンレス合金鋼線、合成樹脂線などを使用すると、ポケットなどに入れて持ち歩いても癖がつかなく、携帯できて便利であった。
また枠（５）はネットの端にそって網目に通すほかに、ネットを織るまたは折り返して隙間を作り、そこに通して取り付けても同様の効果があった。【００１０】  ウキ（１）の材質は、木製、合成樹脂製、発泡樹脂製、または中空とした金属で製作したが、他に浮力を有する材質であれば形状、材質は問わない。
また必要に応じて、ウキの上部に、バーの形状のパイプトップ、または無垢トップを付けて使用するほか、ウキを棒ウキとしても良い。
ウキ（１）の浮力について、一例を上げると本発明全体で、６Ｂの設定としたところ扱い易かった。ただし釣場の状況で、潮の早さ、水深などによって変更することが望ましい。【００１１】    図２に示すように、
ウキ（１）に、ネット袋を取り付けるには、ウキ（１）の下方部に、ウキの凹部（７）を形成し、ウキ（１）と、リベット（３）でネット袋（２）を挟み、接着、固定した。
【実施例２】
【００１２】または、図３に示すように、
ナット（９）を、ウキ（１）に埋め込み、螺子（４）で固定した。
このようにすると、ネットは脱着可能となった。
【実施例３】
【００１３】  図４に示すように、螺子（１９）を、ウキ（１）に埋め込み、ナット（２０）で固定した。
このようにしても、ネットは脱着可能となった。
なおウキ（１）とネットの取り付け方法は、例をあげたのであって、これに限定はされない。
【実施例４】
【００１４】図５に示すように、
本発明には、予めスイベルなどの、道糸の係留部を付けた。
このようにすると、細かな道具の一つが固定されて、扱い易くなった。【００１５】  本発明の使用方法を述べる。
図７に示すように、本発明の使用方法は一般には誘導式仕掛けで、仕掛けの順番は、道糸に上から、上部ウキ止（１７）、シモリ玉（１１）、スナップ付スイベル（１２）、シモリ玉（１１）を順番に通して下部ウキ止め（１８）、そして２０センチくらい離して、小型のより戻し（１３）に、ハリス（６）をつけて、そこに錘（１４）を付ける、そして、そこから約１メートル内外、離して釣針（１５）を付ける。
そして道糸に付けたスナップ付スイベル（１２）に本発明のネットの網目を通しながら、枠（５）を掛ける。
以上の仕掛けにリール付きの釣竿を準備しておく。【００１６】  図６に示すように、
本発明の使用は、仕掛を緩め、スナップ付スイベル（１２）と枠（５）を持って、海老を保管しておく、海老クーラーまたはバケツなどに、本発明を入れて、ネットが末広がりの形状であるので、そのネットの部分で、海老を素早くすくい上げることができる。
そのように海老は、一瞬でカゴに入る。そして入った海老は、跳ねて飛び出ようとしても、ネットのカゴであるので、弾力性は少なく、飛び出しにくくなった。
また、すばしこい海老を捕まえるのに手間がかかっていたが、本発明によって、その手間が無くなって、手返しが早くなり便利になった。【００１７】  そしてネットの上から海老を軽く握り仮死状態として、リールを投げの状態に設定し、釣竿で吊るし、その弾力を利用しポイントに投げ入れる。
すると、仕掛のオモリ、及びウキの重み、そしてネット内で纏った海老の合計重量で、仕掛けと共に海老を飛ばせた。その際、海老はネットの外に出てしまう事は無かった。【００１８】  図７に示すように、
本発明は、ウキから着水し、その浮力で反転し、本発明はネットの末が広がっている形状から、パラパラと海老を放出する。
通常のカゴ付きウキでは、海老の出が悪かったが、本発明により解決された。
また仕掛と、本発明が着水したら、釣竿を少しあおると、付け餌は、本発明の下に入った。
このように使用すると、放出された海老は、付け餌の近くに泳ぎ、魚の喰いを誘う。
一般にこの状態を同調と称している。
また本発明は、海老を運ぶだけでなく、当たりウキとしても使用でき、柄杓から釣竿に持ち替える必要もなく、そのままウキ釣りを楽しめた。【００１９】  本発明は、釣り場の状況が向かい風であって、柄杓を使用し、投げた海老が戻って来る状況においても、一般に釣りが出きる程度の風であれば、海老を仕掛と共にポイントに投入できた。よってそのような日でもポイントを移動しないで、海老撒き釣りができた。
ポイントによっては、海老を柄杓で撒いて届く限界の距離を通り越しても、海老を仕掛ごと投げられたので、距離が離れた、場荒れしていない、新しいポイントで海老撒き釣りができた。
またそのような少し離れたポイントでも、仕掛と共に海老を運べて、付け餌の回りに、撒いた海老がいる状態であるので、付け餌と、撒いた海老が同調できたので釣果に結びつく確率が高くなった。
その他、本発明は構造が簡単であるので故障は少ない。
【図面の簡単な説明】
【００２０】
【図１】    本発明の斜視図
【図２】    本発明の実施例、リベットでネット袋を挟み固定した説明図
【図３】    本発明の実施例、ナットをウキに埋め込み、螺子で固定した説明図
【図４】    本発明の実施例、螺子をウキに埋め込み、ナットで固定した説明図
【図５】    本発明の実施例、スイベルを取り付けた斜視図
【図６】    本発明の実施例、海老をすくい取る状態を示す説明図
【図７】    本発明の実施例、仕掛けに取り付け、使用状態を示す説明図
【符号の説明】
【００２１】１ウキ、２ネット袋、３リベット、４螺子、５枠、６ハリス、７ウキの凹部、８海老、９ナット、１０スイベル、１１シモリ玉、１２スナップ付スイベル、１３より戻し、１４オモリ、１５釣針、１６付け餌、１７上部ウキ止、１８下部ウキ止、１９螺子、２０ナット
【図１】
2008283952.tif 000003
【図２】
2008283952.tif 000004
【図３】
2008283952.tif 000005
【図４】
2008283952.tif 000006
【図５】
2008283952.tif 000007
【図６】
2008283952.tif 000008
【図７】
2008283952.tif 000009